(57)【要約】【課題】少ない通信用端子で多数の情報をリアルタイムに送信する。【解決手段】交換レンズ５００は、フォーカスレンズ駆動部１２１と、絞り駆動部１３１と、フォーカスレンズ駆動部１２１からの駆動力を受けて駆動されるフォーカスレンズ１０２と、絞り駆動部１３１からの駆動力を受けて駆動される絞り１０３と、レンズ側通信部５０７とを備える。レンズ側通信部５０７は信号生成回路を有し、フォーカスレンズ駆動部１２１から駆動力を受けたフォーカスレンズ１０２の駆動状態をパルス数で表したＡ信号を重みｋ１で重みづけた信号と、Ａ信号に対してフォーカスレンズ１０２の駆動方向に応じた位相差を持つＡ´信号を重みｋ１と異なる重みｋ２で重みづけた信号とを重畳したＤ信号を生成する。生成されたＤ信号は、レンズ側通信部５０７によりカメラボディ６００へ送信される。【選択図】図９
2013141108.tif 000002
【特許請求の範囲】
【請求項１】
カメラボディに対して着脱可能な交換レンズであって、
第１の駆動源を含む駆動手段と、
前記第１の駆動源からの駆動力を受けて駆動される第１の被駆動部材と、
前記第１の駆動源から駆動力を受けた前記第１の被駆動部材の駆動状態を電位の変化で表した信号であり且つ第１の振幅を有する第１パルス信号と、前記第１パルス信号に対して前記第１の被駆動部材の駆動方向に応じた位相差を持ち且つ前記第１の振幅と異なる第２の振幅を有する第２パルス信号とを重畳した第１重畳信号を生成する生成手段と、
前記第１重畳信号を前記カメラボディに送信する送信手段と、
を有することを特徴とする交換レンズ。
【請求項２】
請求項１に記載の交換レンズにおいて、
前記生成手段は、
前記第１の被駆動部材の駆動に応じて電位が変化する第１信号と、前記第１信号に対して前記第１の被駆動部材の駆動方向に応じた位相差を持つ第２信号との少なくとも一方を、互いの信号の振幅を異ならせるように重み付けして得られた前記第１パルス信号と前記第２パルス信号とを用いて前記第１重畳信号を生成することを特徴とする交換レンズ。
【請求項３】
請求項１または２に記載の交換レンズにおいて、
前記第１パルス信号は、第１の電位と、前記第１の電位に前記第１の振幅を加算した第２の電位とで表現され、
前記第２パルス信号は、第３の電位と、前記第３の電位に前記第２の振幅を加算した第４の電位とで表現され、
前記第１重畳信号は、前記第１の被駆動部材の駆動量を、
前記第１の電位に前記第３の電位を加算した第５の電位と、
前記第２の電位に前記第３の電位を加算した第６の電位と、
前記第１の電位に前記第４の電位を加算した第７の電位と、
前記第２の電位に前記第４の電位を加算した第８の電位という互いに異なる４つの電位で表現する信号を含むことを特徴とする交換レンズ。
【請求項４】
請求項１から３の何れか一項に記載の交換レンズにおいて、
前記駆動手段は、第２の駆動源をさらに含み、
前記第２の駆動源からの駆動力を受けて駆動される第２の被駆動部材をさらに有し、
前記生成手段は、前記第２の駆動源から駆動力を受けた前記第２の被駆動部材の駆動状態を電位の変化で表した信号であり且つ前記第１の振幅を有する第３パルス信号と、前記第３パルス信号に対して前記第２の被駆動部材の駆動方向に応じた位相差を持ち且つ前記第２の振幅を有する第４パルス信号とを重畳して第２重畳信号をさらに生成することを特徴とする交換レンズ。
【請求項５】
請求項１に記載の交換レンズにおいて、
前記駆動手段は、第２の駆動源をさらに含み、
前記第２の駆動源からの駆動力を受けて駆動される第２の被駆動部材をさらに有し、
前記生成手段は、
前記第２の駆動源から駆動力を受けた前記第２の被駆動部材の駆動状態を電位の変化で表した信号であり且つ前記第１および第２の振幅と異なる第３の振幅を有する第３パルス信号と、
前記第３パルス信号に対して前記第２の被駆動部材の駆動方向に応じた位相差を持ち且つ前記第１、第２、および第３の振幅と異なる第４の振幅を有する第４パルス信号と、
をさらに重畳して前記１重畳信号を生成することを特徴とする交換レンズ。
【請求項６】
請求項５に記載の交換レンズであって、
前記生成手段は、
前記第１の被駆動部材の駆動に応じて電位が変化する第１信号と、
前記第１信号に対して前記第１の被駆動部材の駆動方向に応じた位相差を持つ第２信号と、
前記第２の被駆動部材の駆動に応じて電位が変化する第３信号と、
前記第３信号に対して前記第２の被駆動部材の駆動方向に応じた位相差を持つ第４信号と、
の少なくとも三つを、互いの信号の振幅を異ならせるように重み付けして得られた前記第１パルス信号と前記第２パルス信号と前記第３パルス信号と前記第４パルス信号とを用いて前記第１重畳信号を生成することを特徴とする交換レンズ。
【請求項７】
請求項５または請求項６に記載の交換レンズにおいて、
前記第１重畳信号は、前記第１の被駆動部材の駆動量および駆動方向と、前記第２の被駆動部材の駆動量および駆動方向とを、異なる１６の電位で表現する信号を含むことを特徴とする交換レンズ。
【請求項８】
カメラボディに対して着脱可能な交換レンズであって、
第１の駆動源と、
第２の駆動源と、
前記第１の駆動源からの駆動力を受けて駆動される第１の被駆動部材と、
前記第２の駆動源からの駆動力を受けて駆動される第２の被駆動部材と、
前記第１の駆動源から駆動力を受けた前記第１の被駆動部材の駆動状態を電位の変化で表した信号であり且つ第１の振幅を有する第１パルス信号と、前記第２の駆動源から駆動力を受けた前記第２の被駆動部材の駆動状態を電位の変化で表した信号であり且つ前記第１の振幅とは異なる第２の振幅を有する第２パルス信号とを重畳した第１重畳信号を生成する生成手段と、
前記第１重畳信号を前記カメラボディに送信する送信手段と、
を有することを特徴とする交換レンズ。
【請求項９】
請求項８に記載の交換レンズであって、
前記生成手段は、前記第１の被駆動部材の駆動に応じて電位が変化する第１信号と、前記第２の被駆動部材の駆動に応じて電位が変化する第２信号との少なくとも一方を、互いの信号の振幅を異ならせるように重み付けして得られた前記第１パルス信号と前記第２パルス信号とを用いて前記第１重畳信号を生成することを特徴とする交換レンズ。
【請求項１０】
請求項８または９に記載の交換レンズであって、
前記第１パルス信号は、第１の電位と、前記第１の電位に前記第１の振幅を加算した第２の電位とで表現され、
前記第２パルス信号は、第３の電位と、前記第３の電位に前記第２の振幅を加算した第４の電位とで表現され、
前記第１重畳信号は、前記第１の被駆動部材の駆動量および前記第２の被駆動部材の駆動量を、
前記第１の電位に前記第３の電位を加算した第５の電位と、
前記第２の電位に前記第３の電位を加算した第６の電位と、
前記第１の電位に前記第４の電位を加算した第７の電位と、
前記第２の電位に前記第４の電位を加算した第８の電位という互いに異なる４つの電位で表現する信号を含むことを特徴とする交換レンズ。
【請求項１１】
請求項８から１０の何れか一項に記載の交換レンズであって、
前記生成手段は、前記第１パルス信号に対して前記第１の被駆動部材の駆動方向に応じた位相差を持ち且つ前記第１の振幅を有する第３パルス信号と、前記第３パルス信号に対して前記第２の被駆動部材の駆動方向に応じた位相差を持ち且つ前記第２の振幅を有する第４パルス信号とを重畳した第２重畳信号をさらに生成することを特徴とする交換レンズ。
【請求項１２】
請求項８に記載の交換レンズにおいて、
前記生成手段は、
前記第１パルス信号と、
前記第２パルス信号と、
前記第１パルス信号に対して前記第１の被駆動部材の駆動方向に応じた位相差を持つ信号であり、且つ前記第１および第２の振幅と異なる第３の振幅を有する第３パルス信号と、
前記第３パルス信号に対して前記第２の被駆動部材の駆動方向に応じた位相差を持つ信号であり、且つ前記第１、第２、および第３の振幅と異なる第４の振幅を有する第４パルス信号と
をさらに重畳して前記１重畳信号を生成することを特徴とする交換レンズ。
【請求項１３】
請求項１２に記載の交換レンズであって、
前記生成手段は、
前記第１の被駆動部材の駆動に応じて電位が変化する第１信号と、
前記第２の被駆動部材の駆動に応じて電位が変化する第２信号と、
前記第１信号に対して前記第１の被駆動部材の駆動方向に応じた位相差を持つ第３信号と、
前記第２信号に対して前記第２の被駆動部材の駆動方向に応じた位相差を持つ第４信号と、
の少なくとも三つを、互いの信号の振幅を異ならせるように重み付けして得られた前記第１パルス信号と前記第２パルス信号と前記第３パルス信号と前記第４パルス信号とを用いて前記第１重畳信号を生成することを特徴とする交換レンズ。
【請求項１４】
請求項４または１１に記載の交換レンズにおいて、
前記カメラボディ側に設けられている第１接点と電気的に接続するレンズ側第１接点と、
前記カメラボディ側に設けられている、前記第１接点とは異なる第２接点と電気的に接続するレンズ側第２接点と、をさらに有し、
前記送信手段は、
前記第１重畳信号を、前記レンズ側第１接点を介して、前記カメラボディに送信し、
前記第２重畳信号を、前記レンズ側第２接点を介して、前記カメラボディに送信することを特徴とする交換レンズ。
【請求項１５】
請求項１から１４の何れか一項に記載の交換レンズであって、
前記第１の被駆動部材は、焦点調節用の光学系、または被写体光の通過する絞り開口の大きさが調節される絞り部材を含むことを特徴とする交換レンズ。
【請求項１６】
請求項４から１４の何れか一項に記載の交換レンズであって、
前記第２の被駆動部材は、被写体光の通過する絞り開口の大きさ調整する絞り部材を含むことを特徴とする交換レンズ。
【請求項１７】
第１の駆動源を含む駆動手段と、前記第１の駆動源からの駆動力を受けて駆動される第１の被駆動部材とを備えるとともに、前記第１の駆動源から駆動力を受けた前記第１の被駆動部材の駆動状態を電位の変化で表した信号であり且つ第１の振幅を有する第１パルス信号と、前記第１パルス信号に対して前記第１の被駆動部材の駆動方向に応じた位相差を持ち且つ前記第１の振幅と異なる第２の振幅を有する第２パルス信号とを重畳した第１重畳信号を生成する交換レンズを装着可能なカメラボディであって、
前記重畳信号を受信する受信手段と、
前記受信した重畳信号から前記第１パルス信号および前記第２パルス信号を抽出して、当該抽出した第１パルス信号および第２パルス信号に基づいて前記第１の被駆動部材の駆動状態を検出する第１検出手段を有することを特徴とするカメラボディ。
【請求項１８】
第１の駆動源と、第２の駆動源と、前記第１の駆動源からの駆動力を受けて駆動される第１の被駆動部材と、前記第２の駆動源からの駆動力を受けて駆動される第２の被駆動部材とを備えるとともに、前記第１の駆動源から駆動力を受けた前記第１の被駆動部材の駆動状態に応じた信号であり且つ第１の振幅を有する第１パルス信号と、前記第２の駆動源から駆動力を受けた前記第２の被駆動部材の駆動状態に応じた信号であり且つ前記第１の振幅とは異なる第２の振幅を有する第２パルス信号とを重畳した重畳信号を生成する交換レンズを装着可能なカメラボディであって、
前記重畳信号を受信する受信手段と、
前記受信した重畳信号から前記第１パルス信号を抽出して、当該抽出した第１パルス信号に基づいて前記第１の被駆動部材の駆動状態を検出する第１検出手段と、
前記受信した重畳信号から前記第２パルス信号を抽出して、当該抽出した第２パルス信号に基づいて前記第２の被駆動部材の駆動状態を検出する第２検出手段と、
を有することを特徴とするカメラボディ。
【請求項１９】
請求項１７または１８に記載のカメラボディであって、
前記受信手段により前記重畳信号が受信されなければ、前記交換レンズの駆動を制限せしめる制限手段を更に有することを特徴とするカメラボディ。
【発明の詳細な説明】
【技術分野】
【０００１】
本発明は、交換レンズおよびカメラボディに関する。
【背景技術】
【０００２】
交換レンズと、その交換レンズを着脱可能なカメラボディとを備えるカメラシステムは、カメラボディが交換レンズの被駆動部材（たとえば、フォーカスレンズなど）の移動量および移動方向を検知できるよう構成されることが一般的である。例えば、フォーカスレンズの移動に応じて２相のパルス信号を出力する交換レンズが知られている。この２相のパルス信号は、フォーカスレンズの移動量をパルス数により表し、フォーカスレンズの移動方向を位相差により表す信号である。従来のカメラシステムでは、その２相のパルス信号を、互いに異なる二つの通信用接点を用いて交換レンズからカメラボディに送信している。
【先行技術文献】
【特許文献】
【０００３】
【特許文献１】特開２００８−１８４１６６号公報
【発明の概要】
【発明が解決しようとする課題】
【０００４】
交換レンズとカメラボディとの間で多数の情報の送受信を実施する場合、情報の送受信に要する通信用端子が増加するという問題があった。
【課題を解決するための手段】
【０００５】
本発明の第１の態様による交換レンズは、カメラボディに対して着脱可能な交換レンズであって、第１の駆動源を含む駆動手段と、第１の駆動源からの駆動力を受けて駆動される第１の被駆動部材と、第１の駆動源から駆動力を受けた第１の被駆動部材の駆動状態を電位の変化で表した信号であり且つ第１の振幅を有する第１パルス信号と、第１パルス信号に対して第１の被駆動部材の駆動方向に応じた位相差を持ち且つ第１の振幅と異なる第２の振幅を有する第２パルス信号とを重畳した第１重畳信号を生成する生成手段と、第１重畳信号をカメラボディに送信する送信手段と、を有することを特徴とする。
本発明の第２の態様による交換レンズは、カメラボディに対して着脱可能な交換レンズであって、第１の駆動源と、第２の駆動源と、第１の駆動源からの駆動力を受けて駆動される第１の被駆動部材と、第２の駆動源からの駆動力を受けて駆動される第２の被駆動部材と、第１の駆動源から駆動力を受けた第１の被駆動部材の駆動状態を電位の変化で表した信号であり且つ第１の振幅を有する第１パルス信号と、第２の駆動源から駆動力を受けた第２の被駆動部材の駆動状態を電位の変化で表した信号であり且つ第１の振幅とは異なる第２の振幅を有する第２パルス信号とを重畳した第１重畳信号を生成する生成手段と、第１重畳信号をカメラボディに送信する送信手段と、を有することを特徴とする。
本発明の第３の態様によるカメラボディは、第１の駆動源を含む駆動手段と、第１の駆動源からの駆動力を受けて駆動される第１の被駆動部材とを備えるとともに、第１の駆動源から駆動力を受けた第１の被駆動部材の駆動状態を電位の変化で表した信号であり且つ第１の振幅を有する第１パルス信号と、第１パルス信号に対して第１の被駆動部材の駆動方向に応じた位相差を持ち且つ第１の振幅と異なる第２の振幅を有する第２パルス信号とを重畳した第１重畳信号を生成する交換レンズを装着可能なカメラボディであって、重畳信号を受信する受信手段と、受信した重畳信号から第１パルス信号および第２パルス信号を抽出して、当該抽出した第１パルス信号および第２パルス信号に基づいて第１の被駆動部材の駆動状態を検出する第１検出手段を有することを特徴とする。
本発明の第４の態様によるカメラボディは、第１の駆動源と、第２の駆動源と、第１の駆動源からの駆動力を受けて駆動される第１の被駆動部材と、第２の駆動源からの駆動力を受けて駆動される第２の被駆動部材とを備えるとともに、第１の駆動源から駆動力を受けた第１の被駆動部材の駆動状態に応じた信号であり且つ第１の振幅を有する第１パルス信号と、第２の駆動源から駆動力を受けた第２の被駆動部材の駆動状態に応じた信号であり且つ第１の振幅とは異なる第２の振幅を有する第２パルス信号とを重畳した重畳信号を生成する交換レンズを装着可能なカメラボディであって、重畳信号を受信する受信手段と、受信した重畳信号から第１パルス信号を抽出して、当該抽出した第１パルス信号に基づいて第１の被駆動部材の駆動状態を検出する第１検出手段と、受信した重畳信号から第２パルス信号を抽出して、当該抽出した第２パルス信号に基づいて第２の被駆動部材の駆動状態を検出する第２検出手段と、を有することを特徴とする。
【発明の効果】
【０００６】
本発明によれば、少ない通信用端子で多数の情報をリアルタイムに送信することができる。
【図面の簡単な説明】
【０００７】
【図１】本発明の第１の実施の形態による交換レンズとカメラボディとを備えるカメラシステムのブロック図である。
【図２】被駆動部材の駆動に関するパルス信号を例示する図である。
【図３】本発明の第１の実施の形態による交換レンズとカメラボディとの間の通信に用いられる接点群を例示する図である。
【図４】本発明の第１の実施の形態による交換レンズ側の通信部の詳細を示すブロック図である。
【図５】複数のパルス信号の重畳に関して説明するための図である。
【図６】本発明の第１の実施の形態によるカメラボディ側の通信部の詳細を示すブロック図である。
【図７】カメラボディが実施するパルス信号のカウントについて説明するための図である。
【図８】カメラボディにより実行されるプロトコル判断処理に関するフローチャートである。
【図９】本発明の第２の実施の形態による交換レンズとカメラボディとを備えるカメラシステムのブロック図である。
【図１０】本発明の第２の実施の形態による交換レンズ側の通信部の詳細を示すブロック図である。
【図１１】複数のパルス信号の重畳に関して説明するための図である。
【図１２】本発明の第２の実施の形態によるカメラボディ側の通信部の詳細を示すブロック図である。
【図１３】本発明の第３の実施の形態による交換レンズとカメラボディとを備えるカメラシステムのブロック図である。
【図１４】本発明の第３の実施の形態による交換レンズ側の通信部の詳細を示すブロック図である。
【図１５】本発明の第３の実施の形態によるカメラボディ側の通信部の詳細を示すブロック図である。
【図１６】本発明の一変形例によるカメラボディ側の通信部の詳細を示すブロック図である。
【発明を実施するための形態】
【０００８】
―第１の実施の形態―
図１は、本発明の第１の実施の形態による、交換レンズと、その交換レンズを着脱可能なカメラボディとを備えるデジタルカメラシステムのブロック図である。図１のデジタルカメラシステム１は、交換レンズ１００とカメラボディ２００とを備える。交換レンズ１００は、マウント部１５０を介してカメラボディ２００のマウント部２５０に着脱可能に装着される。図１は、交換レンズ１００側に設けられているレンズ側マウント１５０が、カメラボディ２００側に設けられているボディ側マウント２５０に結合されている状態を図示するものである。なおレンズ側マウント１５０、ボディ側マウント２５０は、交換レンズ式カメラシステムにおいて周知のバヨネットマウントシステムを採用している。本カメラシステム１において、図１の結合状態の場合に、カメラシステム１は図１中の左側（交換レンズ１００の左側）に存在する被写体を撮影することになる。
【０００９】
（交換レンズ１００に関する説明）
交換レンズ１００は、結像用レンズ１０１とフォーカスレンズ１０２と絞り１０３とズームレンズ１０４とレンズ側ＣＰＵ１０５とレンズ側記憶部１０６とレンズ側通信部１０７とフォーカスレンズ駆動部１２１と絞り駆動部１３１とフォーカスレンズ用エンコーダ１２２と絞り用エンコーダ１３２とを備える。
【００１０】
フォーカスレンズ１０２は、フォーカスレンズ駆動部１２１により光軸Ｏ方向に駆動される。フォーカスレンズ用エンコーダ１２２は、フォーカスレンズ用フォトインタラプタ１２３および１２４を備え、それぞれからフォーカスレンズ駆動部１２１によるフォーカスレンズ１０２の単位移動量に応じた数のパルス信号を出力する。
【００１１】
フォーカスレンズ用フォトインタラプタ１２３および１２４は、互いに位相が９０度ずれたパルス信号を出力するように構成されている。以降、フォーカスレンズ用フォトインタラプタ１２３から出力されるパルス信号をＡ信号と称し、フォーカスレンズ用フォトインタラプタ１２４から出力されるパルス信号をＡ´信号と称する。
【００１２】
図２は、フォーカスレンズ用エンコーダ１２２のフォーカスレンズ用フォトインタラプタ１２３および１２４から出力されるＡ信号およびＡ´信号の一例を示す図である。図２（ａ）および（ｂ）に例示されたＡ信号およびＡ´信号は、それぞれＨレベルの電位（たとえば、５Ｖ）とＬレベルの電位（たとえば、０Ｖ）で表現されている。
【００１３】
図２（ａ）には、図１のフォーカスレンズ１０２が光軸Ｏの前方（被写体側の方向、図１における左方向）に駆動された場合のＡ信号およびＡ´信号が例示されている。図２（ａ）では、Ａ´信号はＡ信号と比べて位相が９０度遅れて出力されている。
【００１４】
図２（ｂ）には、図１のフォーカスレンズ１０２が光軸Ｏの後方（フォーカスレンズの結像面側の方向、図１における右方向）に駆動された場合のＡ信号およびＡ´信号が例示されている。図２（ｂ）では、Ａ´信号はＡ信号と比べて位相が９０度進んで出力されている。
【００１５】
図１の絞り１０３は、複数枚の絞り羽根（不図示）から形成されている。交換レンズ１００を通過する光量を調整するために、絞り１０３の開口の大きさが、絞り羽根を絞り駆動部１３１で駆動することによって調整される。絞り用エンコーダ１３２は、絞り用フォトインタラプタ１３３および１３４を備え、それぞれから絞り駆動部１３１による絞り羽根の単位移動量（絞り開口の大きさの単位調整量、または単位変化量）に応じた数のパルスを出力する。
【００１６】
絞り用フォトインタラプタ１３３および１３４は、フォーカスレンズ用フォトインタラプタ１２３および１２４と同様に、互いに位相が９０度ずれたパルス信号を出力するように構成されている。以降、絞り用フォトインタラプタ１３３から出力されるパルス信号をＢ信号と称し、絞り用フォトインタラプタ１３４から出力されるパルス信号をＢ´信号と称する。
【００１７】
Ｂ信号およびＢ´信号も、それぞれＨレベルの電位（たとえば、５Ｖ）とＬレベルの電位（たとえば、０Ｖ）で表現されている。Ｂ´信号は、たとえば絞り開口の絞り込み動作中（絞り開口を小さく絞る方向に絞り羽根を駆動する場合）にはＢ信号と比べて位相が９０度遅れて出力される。それとは反対に絞り開口の拡大動作中（絞り開口を大きく広げる方向に絞り羽根を駆動する場合）にはＢ信号と比べて位相が９０度進んで出力される。
【００１８】
フォーカスレンズ用エンコーダ１２２から出力されるＡ信号およびＡ´信号と、絞り用エンコーダ１３２から出力されるＢ信号およびＢ´信号は、レンズ側通信部１０７に入力される。レンズ側通信部１０７は、これらのＡ信号およびＡ´信号とＢ信号およびＢ´信号とに基づいて、カメラボディ２００へ送信する信号を合成する。
【００１９】
レンズ側ＣＰＵ１０５は、レンズ側記憶部１０６に記憶された制御プログラムを実行して、レンズ側通信部１０７や、フォーカスレンズ駆動部１２１、絞り駆動部１３１などを制御する。レンズ側記憶部１０６は、制御プログラムや各種パラメータなどを記憶するＲＯＭと、レンズ側ＣＰＵ１０５が作業エリアとして使用するＲＡＭとを含む。
【００２０】
レンズ側通信部１０７は、レンズ側ＣＰＵ１０５の制御により、それぞれ複数の接点（図３にて後述）を含むレンズ側電気接点群１６０、およびカメラ側電気接点群２６０を介して、カメラボディ２００のボディ側通信部２０３と通信を行う。この電気接点群１６０、２６０はそれぞれ、それぞれのマウント部１５０、２５０の近傍に配置されている。なお、交換レンズ１００とカメラボディ２００とは、レンズ側マウント１５０とボディ側マウント２５０との間の少なくとも一部において電気的に接触している。この両マウント間の電気的接触は、ロジック系（回路系）電源のＧＮＤ機能を果たす電気接点として利用される。
【００２１】
図３は、それぞれの電気接点群１６０、２６０に含まれている複数の接点を概念的に例示した図である。図３に例示された交換レンズ１００側の電気接点群１６０は、レンズ側の第１電気接点Ｌ１、第２電気接点Ｌ２、第３電気接点Ｌ３、第４電気接点Ｌ４、第５電気接点Ｌ５、第６電気接点Ｌ６、第７電気接点Ｌ７、および第８電気接点Ｌ８を有する。一方、カメラボディ２００側の電気接点群２６０は、ボディ側の第１電気接点Ｂ１、第２電気接点Ｂ２、第３電気接点Ｂ３、第４電気接点Ｂ４、第５電気接点Ｂ５、第６電気接点Ｂ６、第７電気接点Ｂ７、および第８電気接点Ｂ８とを有する。レンズ側の第１〜第８電気接点Ｌ１〜Ｌ８は、対応したボディ側の第１〜第８電気接点Ｂ１〜Ｂ８にそれぞれ接続される。
【００２２】
ボディ側の第１電気接点Ｂ１は、カメラボディ２００から交換レンズ１００に対してロジック系（回路系）電源を供給するための電気接点である。この第１電気接点Ｂ１と接触するレンズ側の第１電気接点Ｌ１は、カメラボディ２００から供給されるロジック系（回路系）の動作電源（動作電圧）を受けとる（入力する）ための電気接点である。第１電気接点Ｂ１から供給される電源は、レンズ側ＣＰＵ１０５などへ給電され、フォーカスレンズ駆動部１２１や絞り駆動部１３１などの駆動系には給電されない。
【００２３】
ボディ側の第２電気接点Ｂ２、およびこの第２電気接点Ｂ２と接触するレンズ側の第２電気接点Ｌ２は、交換レンズ１００とカメラボディ２００との間の通信を確立するためのハンドシェイクに利用される。具体的には、通信を開始するにあたって、ボディ側通信部２０３は第２電気接点Ｂ２の信号レベルを、ＨｉｇｈレベルからＬｏｗレベルに僅かな時間だけ（一瞬だけ）切り替える。ボディ側通信部２０３において第２電気接点Ｂ２の信号レベルをＬｏｗに切り替えるのはこの一瞬だけで、それ以降はＬｏｗを維持し続けるような制御はしない。一方レンズ側通信部１０７では、ボディ側通信部２０３によって行われたこの一瞬のＬｏｗレベル切り替えをレンズ側の第２電気接点Ｌ２を介して検知すると、第２電気接点Ｌ２の信号レベルをＬｏｗに維持するよう制御する。ボディ側通信部２０３は、このレンズ側通信部１０７における第２電気接点Ｌ２のＬｏｗレベル維持制御によって、第２電気接点Ｌ２を介して第２電気接点Ｂ２に与えられるＬｏｗレベルを検出することによって、レンズ−ボディ間における通信ハンドシェイクが問題なく行われたこと（レンズ−ボディ間で通信が可能な状態であること）を認識する。このようにボディ側通信部２０３は、上述の２つの第２電気接点Ｂ２，Ｌ２を介した通信ハンドシェイクが行われると、後述するデータ通信を行う。
ボディ側の第３電気接点Ｂ３は、カメラボディ２００から交換レンズ１００に対して通信用のクロック信号を出力するための電気接点である。この第３電気接点Ｂ３と接触するレンズ側の第３電気接点Ｌ３は、カメラボディ２００から出力されるクロック信号を入力するための電気接点である。
【００２４】
ボディ側の第４電気接点Ｂ４、およびこの第４電気接点Ｂ４と接触するレンズ側の第４電気接点Ｌ４は、ハンドシェイクが完了したレンズ側通信部１０７とボディ側通信部２０３との間で行われる双方向データ通信に利用される。たとえば、ボディ側通信部２０３からレンズ側通信部１０７へ向けては、交換レンズ１００に（たとえば交換レンズ１００内のフォーカスレンズや絞りなどの被駆動部材に）所定動作を行わせるためのコマンドデータが送信される。また、レンズ側通信部１０７からボディ側通信部２０３へ向けては、レンズ装着時や電源ＯＮ時などの起動時に行われる固定的なレンズデータ（例えばレンズ固有の収差データなど）のデータ通信を行う初期通信や、レンズデータ（例えばズームレンズの位置など）の定常的（周期的）な通信や、或いはカメラボディ２００からの要求コマンドデータに応答するかたちの所定の応答データの送信などが行われる。何れのデータ通信の場合であっても、上述のカメラボディ２００側から出力されるクロック信号に基づいてシリアルデータ通信が実行される。
【００２５】
レンズ側の第５電気接点Ｌ５および第８電気接点Ｌ８は、そしてこれら第５電気接点Ｌ５および第８電気接点Ｌ８と接触するボディ側の第５電気接点Ｂ５および第８電気接点Ｂ８は、共にホットライン通信と称される通信に利用される。ホットライン通信は、ハンドシェイクが完了したレンズ側通信部１０７とボディ側通信部２０３との間で行われる。ホットライン通信では、交換レンズ１００に備わる被駆動部材（本実施形態の場合にはフォーカスレンズ１０２および絞り１０３）の駆動量や駆動方向を表す信号が、レンズ側通信部１０７からボディ側通信部２０３に向けて、リアルタイムに一方通行のデータ通信で送信される。第５電気接点Ｌ５、第８電気接点Ｌ８、第５電気接点Ｂ５、および第８電気接点Ｂ８を利用して送信される信号についての詳細は、後述する。
【００２６】
ボディ側の第６電気接点Ｂ６は、カメラボディ２００から交換レンズ１００に向けて、交換レンズ１００内に設けられている上述した被駆動部材を駆動するための駆動系電源を供給するための電気接点である。この第６電気接点Ｂ６と接触するレンズ側の第６電気接点Ｌ６は、カメラボディ２００から供給される駆動系電源（駆動電圧）を受け取る（入力する）ための電気接点である。この駆動電圧は、フォーカスレンズ駆動部１２１や絞り駆動部１３１の駆動系に供給されて、フォーカスレンズ１０２の駆動や絞り１０３の絞り開口の大きさの調整に利用される。
ボディ側の第７電気接点Ｂ７、およびこの第７電気接点Ｂ７と接触するレンズ側の第７電気接点Ｌ７は、上述の駆動系電源用のＧＮＤ接点であり、上述の第６電気接点Ｂ６、Ｌ６と対を成す。
【００２７】
図４は、ホットライン通信に関するレンズ側通信部１０７の構成を示すブロック図である。レンズ側通信部１０７は、第１信号生成回路１７１および第２信号生成回路１７２を備える。第１信号生成回路１７１は、Ａ信号用の振幅変調回路１７３と、Ｂ信号用の振幅変調回路１７４と、第１重畳回路１７５とを備える。第２信号生成回路１７２は、Ａ´信号用の振幅変調回路１７６と、Ｂ´信号用の振幅変調回路１７７と、第２重畳回路１７８とを備える。
【００２８】
第１信号生成回路１７１には、フォーカスレンズ用エンコーダ１２２からＡ信号が入力され、絞り用エンコーダ１３２からＢ信号が入力される。第１信号生成回路１７１に入力されたＡ信号は、Ａ信号用の振幅変調回路１７３によりＡＭ変調されて所定の重みｋ１（たとえば、ｋ１＝１／３）で重みづけられて、第１重畳回路１７５に出力される。一方、第１信号生成回路１７１に入力されたＢ信号は、Ｂ信号用の振幅変調回路１７４によりＡＭ変調されて所定の重みｋ２で重みづけられて、第１重畳回路１７５に出力される。重みｋ２は、重みｋ１と異なる重みであって、たとえば重みｋ１の２倍である。第１重畳回路１７５は、重みｋ１で重みづけられたＡ信号と重みｋ２で重みづけられたＢ信号とを重畳（加算）し、Ｃ信号（重畳信号）を生成する。生成されたＣ信号は、第５電気接点Ｌ５に出力される。
【００２９】
第２信号生成回路１７２には、フォーカスレンズ用エンコーダ１２２からＡ´信号が入力され、絞り用エンコーダ１３２からＢ´信号が入力される。第２信号生成回路１７２に入力されたＡ´信号は、Ａ´信号用の振幅変調回路１７６によりＡＭ変調されて重みｋ１で重みづけられて、第２重畳回路１７８に出力される。一方、第２信号生成回路１７２に入力されたＢ´信号は、Ｂ´信号用の振幅変調回路１７７によりＡＭ変調されて重みｋ２で重みづけられて、第２重畳回路１７８に出力される。第２重畳回路１７８は、重みｋ１で重みづけられたＡ´信号と重みｋ２で重みづけられたＢ´信号とを重畳（加算）し、Ｃ´信号（重畳信号）を生成する。生成されたＣ´信号は、第８電気接点Ｌ８に出力される。
【００３０】
互いに異なる重みｋ１およびｋ２で重み付けられた２信号を重畳して生成されるＣ信号およびＣ´信号は、四つの電位で表現される。Ａ信号とＢ信号とＣ信号との関係を表１に、Ａ´信号とＢ´信号とＣ´信号との関係を表２に例示する。重みｋ２が重みｋ１よりも大きいとき、表１および表２の電位Ｖ１レベル〜Ｖ４レベルは、Ｖ１レベル＜Ｖ２レベル＜Ｖ３レベル＜Ｖ４レベルとなる。
【表１】
2013141108.tif 000003
【表２】
2013141108.tif 000004
【００３１】
図５は、第１信号生成回路１７１により行われるＣ信号の生成について説明するための図である。図５には、ｋ１＝１／３で重みづけられたＡ信号とｋ２＝２／３で重みづけられたＢ信号の信号波形例と、それらを重畳して生成されるＣ信号とが図示されている。なお、第２信号生成回路１７２がＣ´信号を生成する方法は、第１信号生成回路１７１がＣ信号を生成する方法と同様である。
【００３２】
図５のＡ信号は、時刻Ｔ１で立ち上がり、時刻Ｔ２で立ち下がり、時刻Ｔ３で立ち上がり、時刻Ｔ４で立ち下がり、時刻Ｔ５で立ち上がり、時刻Ｔ６で立ち下がっている。図５のＢ信号は、時刻Ｔ２でＨレベルに立ち上がり、時刻Ｔ３でＬレベルに立ち下がり、時刻Ｔ５で立ち上がり、時刻Ｔ６で立ち下がっている。
【００３３】
Ｃ信号は、時刻Ｔ１ではＡ信号の立ち上がりによりＶ１レベルからＶ２レベルに電位が高くなる。時刻Ｔ２では、Ｃ信号はＡ信号の立ち下がりとＢ信号の立ち上がりとによりＶ２レベルからＶ３レベルに電位が高くなる。時刻Ｔ３では、Ｃ信号はＡ信号の立ち上がりとＢ信号の立ち下がりとによりＶ３レベルからＶ２レベルに電位が低くなる。時刻Ｔ４では、Ｃ信号はＡ信号の立ち下がりによりＶ２レベルからＶ１レベルに電位が低くなっている。時刻Ｔ５では、Ｃ信号はＡ信号およびＢ信号の立ち上がりによりＶ１レベルからＶ４レベルに電位が高くなっている。時刻Ｔ６では、Ｃ信号はＡ信号およびＢ信号の立ち下がりによりＶ４レベルからＶ１レベルに電位が低くなっている。
【００３４】
（カメラボディ２００に関する説明）
図１のカメラボディ２００には、ボディ側ＣＰＵ２０１と撮像部２０２とボディ側通信部２０３とボディ側記憶部２０４とを備える。ボディ側ＣＰＵ２０１は、撮像部２０２とボディ側通信部２０３とを制御する。撮像部２０２は、撮像素子を有し、交換レンズ１００を通過した被写体光像を撮像する。ボディ側通信部２０３は、ボディ側電気接点群２６０およびレンズ側電気接点群１６０を介して、レンズ側通信部１０７と通信を行う。ボディ側記憶部２０４は、カメラボディ２００の制御プログラムや各種設定パラメータが記憶されている。
【００３５】
図６は、ホットライン通信に関するボディ側通信部２０３の構成を示すブロック図である。ボディ側通信部２０３は、第１復号部２３３と第２復号部２３４とレンズ用カウンタ２３５と絞り用カウンタ２３６とを備える。第１復号部２３３は第５電気接点Ｂ５に接続され、第２復号部２３４は第８電気接点Ｂ８に接続される。
【００３６】
第１復号部２３３は、第５電気接点Ｂ５から入力されたＣ信号と表１とに基づいて、Ａ信号とＢ信号とを抽出（分離、復号）する。第１復号部２３３に抽出されたＡ信号はレンズ用カウンタ２３５へ出力され、第１復号部２３３に抽出されたＢ信号は絞り用カウンタ２３６へ出力される。すなわち、第１復号部２３３は、Ｃ信号の電位がＶ２またはＶ４であったときＨレベルのＡ信号をレンズ用カウンタ２３５へ出力し、Ｃ信号の電位がＶ１またはＶ３であったときＬレベルのＡ信号をレンズ用カウンタ２３５へ出力する。さらに第１復号部２３３は、Ｃ信号の電位がＶ３またはＶ４であったときＨレベルのＢ信号を絞り用カウンタ２３６へ出力し、Ｃ信号の電位がＶ１またはＶ２であったときＬレベルのＢ信号を絞り用カウンタ２３６へ出力する。
【００３７】
第２復号部２３４は、第８電気接点Ｂ８から入力されたＣ´信号と表２とに基づいて、Ａ´信号とＢ´信号とを抽出（分離、復号）する。第２復号部２３４に抽出されたＡ´信号はレンズ用カウンタ２３５へ出力され、第２復号部２３４に抽出されたＢ´信号は絞り用カウンタ２３６へ出力される。すなわち、第２復号部２３４は、Ｃ´信号の電位がＶ２またはＶ４であったときＨレベルのＡ´信号をレンズ用カウンタ２３５へ出力し、Ｃ´信号の電位がＶ１またはＶ３であったときＬレベルのＡ´信号をレンズ用カウンタ２３５へ出力する。さらに第２復号部２３４は、Ｃ´信号の電位がＶ３またはＶ４であったときＨレベルのＢ´信号を絞り用カウンタ２３６へ出力し、Ｃ´信号の電位がＶ１またはＶ２であったときＬレベルのＢ´信号を絞り用カウンタ２３６へ出力する。
【００３８】
レンズ用カウンタ２３５は、Ａ信号およびＡ´信号に基づいて、フォーカスレンズ１０２の位置を表す第１カウント値を算出する。レンズ用カウンタ２３５は、Ａ信号およびＡ´信号の立ち上がりおよび立ち下がりをトリガにして第１カウント値を１ずつ増減させる。レンズ用カウンタ２３５により算出された第１カウント値は、ボディ側ＣＰＵ２０１へ出力される。
【００３９】
図７を用いて、レンズ用カウンタ２３５が行う第１カウント値の算出処理について説明する。図７には、Ａ信号およびＡ´信号の一例と、それらの信号に基づいて算出された第１カウント値が図示されている。図７では、第１カウント値の初期値を零としている。
【００４０】
図７に例示されたＡ信号は、時刻Ｔ１１、Ｔ１５、Ｔ１８、およびＴ２２で立ち上がり、時刻Ｔ１３、Ｔ１７、Ｔ２０で立ち下がっている。Ａ´信号は、時刻Ｔ１２、Ｔ１６、およびＴ２１で立ち上がり、時刻Ｔ１４およびＴ１９で立ち下がっている。Ａ´信号は、時刻Ｔ１７と時刻Ｔ１８との間の時刻ＴｆまではＡ信号より位相が９０度遅れており、時刻Ｔｆ以降はＡ信号より位相が９０度進んでいる。すなわち、時刻Ｔｆまでは図１のフォーカスレンズ１０２が光軸Ｏの前方（被写体側）に駆動されており、時刻Ｔｆ以降はフォーカスレンズ１０２が光軸Ｏの後方（フォーカスレンズの結像面側）に駆動されている。
【００４１】
レンズ用カウンタ２３５は、第１カウント値の算出を開始した後に、Ａ´信号が立ち上がるよりも前にＡ信号が立ち上がったとき、第１カウントを増加させる。一方、レンズ用カウンタ２３５は、第１カウント値の算出を開始した後に、Ａ信号が立ち上がるよりも前にＡ´信号が立ち上がったとき、第１カウントを減少させる。以降、レンズ用カウンタ２３５は、第１カウント値の増減が切り替えられるまで、Ａ信号やＡ´信号の立ち上がりや立ち下がりのたびに第１カウント値を１ずつ増加または減少させる。
【００４２】
第１カウント値の増加と減少は、時刻Ｔ１７と時刻Ｔ１８との間のように、Ａ信号の電位が変化（立ち上がりまたは立ち下がり）した後にＡ´信号の電位が変化することなく再度Ａ信号の電位が変化したときに切り替えられる。図７では、時刻Ｔ１７でＡ信号が立ち下がった後、時刻Ｔ１８にＡ信号が再び立ち上がるまでの期間、Ａ´信号は電位が変化していない。これは時刻Ｔｆでフォーカスレンズ１０２の駆動方向が逆転したため、その駆動方向の変化に応じてＡ´信号とＡ信号の位相差が変化したためである。レンズ用カウンタ２３５は、時刻ＴｆまではＡ信号またはＡ´信号の立ち上がりまたは立ち下がりごとに第１カウンタ値を１ずつ増加させ、時刻Ｔｆ以降はＡ信号またはＡ´信号の立ち上がりまたは立ち下がりごとに第１カウンタ値を１ずつ減少させている。
【００４３】
図６の絞り用カウンタ２３６は、Ｂ信号およびＢ´信号に基づいて、絞り１０３の絞り開口の大きさを表す第２カウント値を算出する。絞り用カウンタ２３６は、Ｂ信号およびＢ´信号の立ち上がりおよび立ち下がりをトリガにして第２カウント値を１ずつ増減させる。絞り用カウンタ２３６が第２カウント値を増減させる方法は、前述したレンズ用カウンタ２３５が第１カウント値を増減させた方法と同様である。絞り用カウンタ２３６により算出された第２カウント値は、ボディ側ＣＰＵ２０１へ出力される。
【００４４】
ボディ側ＣＰＵ２０１は、レンズ用カウンタ２３５が出力した第１カウント値と絞り用カウンタ２３６が出力した第２カウント値とに基づいて、撮像部２０２の感度制御等をリアルタイムに実行する。
【００４５】
図８は、ボディ側ＣＰＵ２０１が実行する通信開始処理の一例を示すフローチャートである。図８に例示された通信開始処理は、カメラボディ２００に交換レンズ（交換レンズ１００を含む）が装着されたときに開始される。
【００４６】
ステップＳ１００１では、ボディ側ＣＰＵ２０１は、第１電気接点Ｂ１へのロジック系電源の供給を開始させる。
ステップＳ１００２では、ボディ側ＣＰＵ２０１は、第２電気接点Ｂ２を介したハンドシェイク処理を実行する。
ステップＳ１００３では、ボディ側ＣＰＵ２０１は、ハンドシェイクが成功したか否か、すなわち通信が確立できたか否かを判定する。ボディ側ＣＰＵ２０１は、ステップＳ１００３が肯定判定された場合はステップＳ１００４に処理を進め、ステップＳ１００３が否定判定された場合はステップＳ１００７に処理を進める。
【００４７】
ステップＳ１００４では、ボディ側ＣＰＵ２０１は、第４電気接点Ｂ４を介してＣ信号およびＣ´信号の送信テストコマンドを交換レンズ側へ送信する。複数の信号を重畳してＣ信号およびＣ´信号を送信可能な交換レンズ（たとえば、交換レンズ１００）がこの送信テストコマンドを受信した場合、所定のテスト用の電位変化パターンを有する信号を第５電気接点Ｌ５および第８電気接点Ｌ８へ送信する。所定のテスト用の電位変化パターンは、たとえば図５に示めされるＣ信号のように電位Ｖ１〜Ｖ４を含む。
【００４８】
ステップＳ１００５では、ボディ側ＣＰＵ２０１は、送信テストが成功したか否かを判定する。たとえば、ボディ側ＣＰＵ２０１は、第５電気接点Ｂ５および第８電気接点Ｂ８から第１復号部２３３および第２復号部２３４へ所定のテスト用の電位変化パターンを有する信号が入力されたか否かを判定する。ボディ側ＣＰＵ２０１は、ステップＳ１００５が肯定判定された場合はステップＳ１００６に処理を進め、ステップＳ１００５が否定判定された場合はステップＳ１００７に処理を進める。
【００４９】
ステップＳ１００６では、ボディ側ＣＰＵ２０１は、第６電気接点Ｂ６への駆動系電源の供給を開始させる。
ステップＳ１００７では、ボディ側ＣＰＵ２０１は、第１電気接点Ｂ１へのロジック系電源の供給を停止させ、そして図８の処理を終了する。すなわち、第６電気接点Ｂ６への駆動系電源の供給を開始しないことで、交換レンズの駆動を制限する。
【００５０】
―第２の実施の形態―
本発明の第２の実施の形態による交換レンズとカメラボディについて説明する。図９は、本発明の第２の実施の形態による交換レンズとカメラボディとを備えるデジタルカメラシステム２のブロック図である。デジタルカメラシステム２は、第２交換レンズ５００と第２カメラボディ６００とを備える。第２交換レンズ５００は、上述の第一実施形態と同様にマウント部１５０，２５０を介して第２カメラボディ６００に着脱可能に装着される。
【００５１】
図９の第２交換レンズ５００および第２カメラボディ６００において、図１に示される第１の実施の形態の交換レンズ１００およびカメラボディ２００と同一の部位には、同一符号を付して説明を省略する。
【００５２】
第２交換レンズ５００は、第１の実施の形態の交換レンズ１００のレンズ側ＣＰＵ１０５とレンズ側通信部１０７とを、第２レンズ側ＣＰＵ５０５と第２レンズ側通信部５０７とに置き換えたものである。第２カメラボディ６００は、第１の実施の形態のカメラボディ２００のボディ側ＣＰＵ２０１とボディ側通信部２０３とを、第２ボディ側ＣＰＵ６０１と第２ボディ側通信部６０３とに置き換えたものである。第２交換レンズ５００の第２レンズ側通信部５０７は、第２レンズ側ＣＰＵ５０５の制御により、レンズ側電気接点群１６０およびボディ側電気接点群２６０（図３）を介して、第２カメラボディ６００の第２ボディ側通信部６０３と通信を行う。
【００５３】
図１０は、ホットライン通信に関する第２レンズ側通信部５０７の構成を示すブロック図である。第２レンズ側通信部５０７は、第３信号生成回路５７１および第４信号生成回路５７２を備える。第３信号生成回路５７１は、Ａ信号用の振幅変調回路５７３と、Ａ´信号用の振幅変調回路５７４と、第３重畳回路５７５とを備える。第４信号生成回路５７２は、Ｂ信号用の振幅変調回路５７６と、Ｂ´信号用の振幅変調回路５７７と、第４重畳回路５７８とを備える。
【００５４】
第３信号生成回路５７１には、フォーカスレンズ用エンコーダ１２２からＡ信号およびＡ´信号が入力される。第３信号生成回路５７１に入力されたＡ信号は、Ａ信号用の振幅変調回路５７３によりＡＭ変調されて所定の重みｋ１で重みづけられて、第３重畳回路５７５に出力される。一方、第３信号生成回路５７１に入力されたＡ´号は、Ａ´信号用の振幅変調回路５７４によりＡＭ変調されて所定の重みｋ２で重みづけられて、第３重畳回路５７５に出力される。第３重畳回路５７５は、重みｋ１で重みづけられたＡ信号と重みｋ２で重みづけられたＡ´信号とを重畳し、Ｄ信号（重畳信号）を生成する。生成されたＤ信号は、第５電気接点Ｌ５に出力される。
【００５５】
第４信号生成回路５７２には、絞り用エンコーダ１３２からＢ信号およびＢ´信号が入力される。第４信号生成回路５７２に入力されたＢ信号は、Ｂ信号用の振幅変調回路５７６によりＡＭ変調されて重みｋ１で重みづけられて、第４重畳回路５７８に出力される。一方、第４信号生成回路５７２に入力されたＢ´信号は、Ｂ´信号用の振幅変調回路５７７によりＡＭ変調されて重みｋ２で重みづけられて、第４重畳回路５７８に出力される。第４重畳回路５７８は、重みｋ１で重みづけられたＢ信号と重みｋ２で重みづけられたＢ´信号とを重畳し、Ｅ信号（重畳信号）を生成する。生成されたＥ信号は、第８電気接点Ｌ８に出力される。
【００５６】
第３信号生成回路５７１がＤ信号を生成する方法と、第４信号生成回路５７２がＥ信号を生成する方法は、図５を用いて説明した第１の実施の形態の第１信号生成回路１７１がＣ信号を生成する方法と同様である。
【００５７】
互いに異なる重みｋ１およびｋ２で重み付けられた２信号を重畳して生成されるＤ信号およびＥ信号は、四つの電位で表現される。Ａ信号とＡ´信号とＤ信号との関係を表３に、Ｂ信号とＢ´信号とＥ信号との関係を表４に例示する。
【表３】
2013141108.tif 000005
【表４】
2013141108.tif 000006
【００５８】
図１１は、第３信号生成回路５７１により行われるＤ信号の生成について説明するための図である。図１１では、ｋ１＝１／３、ｋ２＝２／３であるものとしている。図１１には、図２（ａ）のＡ信号をｋ１で重みづけた信号とＡ´信号をｋ２で重みづけた信号の信号波形例と、それらに基づいて生成されるＤ信号とが図示されている。
【００５９】
図１１のＡ信号は、時刻Ｔ２１で立ち上がり、時刻Ｔ２３で立ち下がる。図１１のＡ´信号は、時刻Ｔ２２でＨレベルに立ち上がり、時刻Ｔ２４でＬレベルに立ち下がる。図１１のＡ信号に重みｋ１を重み付け、Ａ´信号に重みｋ２を重み付けて重畳したＤ信号は、時刻Ｔ２１では、Ａ信号の立ち上がりによりＶ１レベルからＶ２レベルに電位が高くなる。時刻Ｔ２２では、Ａ´信号の立ち上がりによりＶ２レベルからＶ４レベルに電位が高くなる。時刻Ｔ２３では、Ａ信号の立ち下がりによりＶ４レベルからＶ３レベルに電位が低くなる。時刻Ｔ２４では、Ａ´信号の立ち下がりによりＶ３レベルからＶ１レベルに電位が低くなる。
【００６０】
図１２は、ホットライン通信に関する第２ボディ側通信部６０３の構成を示すブロック図である。第２ボディ側通信部６０３は、第３復号部６３３と第４復号部６３４とレンズ用カウンタ２３５と絞り用カウンタ２３６とを備える。図６に示される第１の実施の形態のボディ側通信部２０３と同一の部位についてはその説明を省略する。
【００６１】
第３復号部６３３は、第５電気接点Ｂ５から入力されたＤ信号と表３とに基づいて、Ａ信号とＡ´信号とを抽出（分離、復号）し、レンズ用カウンタ２３５に出力される。すなわち、第３復号部６３３は、Ｄ信号の電位がＶ２またはＶ４であったときＨレベルのＡ信号を図１２のレンズ用カウンタ２３５へ出力し、Ｄ信号の電位がＶ１またはＶ３であったときＬレベルのＡ信号を図１２のレンズ用カウンタ２３５へ出力する。さらに第３復号部６３３は、Ｄ信号の電位がＶ３またはＶ４であったときＨレベルのＡ´信号をレンズ用カウンタ２３５へ出力し、電位がＶ１またはＶ２であったときＨレベルのＡ´信号をレンズ用カウンタ２３５へ出力する。
【００６２】
第４復号部６３４は、第８電気接点Ｂ８から入力されたＥ信号と表４とに基づいて、Ｂ信号とＢ´信号とを抽出（分離、復号）し、絞り用カウンタ２３６へ出力する。すなわち、第４復号部６３４は、Ｅ信号の電位がＶ２またはＶ４であったときＨレベルのＢ信号を絞り用カウンタ２３６へ出力し、Ｅ信号の電位がＶ１またはＶ３であったときＬレベルのＢ信号を絞り用カウンタ２３６へ出力する。さらに第４復号部２３４は、Ｅ信号の電位がＶ３またはＶ４であったときＨレベルのＢ´信号を絞り用カウンタ２３６へ出力し、Ｅ信号の電位がＶ１またはＶ２であったときＬレベルのＢ´信号を絞り用カウンタ２３６へ出力する。
【００６３】
第２ボディ側ＣＰＵ６０１は、図１２のレンズ用カウンタ２３５が出力した第１カウント値と図１２の絞り用カウンタ２３６が出力した第２カウント値とに基づいて、図９の撮像部２０２の感度制御等をリアルタイムに実行する。
【００６４】
―第３の実施の形態―
本発明の第３の実施の形態による交換レンズとカメラボディについて説明する。図１３は、本発明の第３の実施の形態による交換レンズとカメラボディとを備えるデジタルカメラシステム３のブロック図である。デジタルカメラシステム３は、第３交換レンズ７００と第３カメラボディ８００とを備える。第３交換レンズ７００は、マウント部１５０，２５０を介して第３カメラボディ８００に着脱可能に装着される。
【００６５】
図１３の第３交換レンズ７００および第３カメラボディ８００において、図１に示される第１の実施の形態の交換レンズ１００およびカメラボディ２００と同一の部位には、同一符号を付して説明を省略する。
【００６６】
第３交換レンズ７００は、第１の実施の形態の交換レンズ１００のレンズ側ＣＰＵ１０５とレンズ側通信部１０７とを、第３レンズ側ＣＰＵ７０５と第３レンズ側通信部７０７とに置き換えたものである。第３カメラボディ８００は、第１の実施の形態のカメラボディ２００のボディ側ＣＰＵ２０１とボディ側通信部２０３とを、第３ボディ側ＣＰＵ８０１と第３ボディ側通信部８０３とに置き換えたものである。第３交換レンズ７００の第３レンズ側通信部７０７は、第３レンズ側ＣＰＵ７０５の制御により、電気接点群１６０（図３）を介して、第３カメラボディ８００の第３ボディ側通信部８０３と通信を行う。
【００６７】
図１４は、ホットライン通信に関する第３レンズ側通信部７０７の構成を示すブロック図である。第３レンズ側通信部７０７は、第５信号生成回路７７１を備える。第５信号生成回路７７１は、Ａ信号用の振幅変調回路７７２と、Ａ´信号用の振幅変調回路７７３と、Ｂ信号用の振幅変調回路７７４と、Ｂ´信号用の振幅変調回路７７５と、第５重畳回路７７６とを備える。
【００６８】
第５信号生成回路７７１には、フォーカスレンズ用エンコーダ１２２からＡ信号およびＡ´信号が入力され、絞り用エンコーダ１３２からＢ信号およびＢ´信号が入力される。第５信号生成回路７７１に入力されたＡ信号、Ａ´信号、Ｂ信号、およびＢ´信号は、Ａ信号用の振幅変調回路７７２、Ａ´信号用の振幅変調回路７７３、Ｂ信号用の振幅変調回路７７４、およびＢ´信号用の振幅変調回路７７５にそれぞれ入力され、振幅変調回路７７２〜７７５の各々によりＡＭ変調されて重みｋ３、ｋ４、ｋ５、およびｋ６でそれぞれ重みづけられて、第５重畳回路７７６にそれぞれ出力される。第５重畳回路７７６は、重みｋ３、ｋ４、ｋ５、およびｋ６でそれぞれ重みづけられたＡ信号、Ａ´信号、Ｂ信号、およびＢ´信号を重畳して、Ｆ信号（重畳信号）を生成する。生成されたＦ信号は、第５電気接点Ｌ５に出力される。
【００６９】
重みｋ３、ｋ４、ｋ５、およびｋ６は、互いに異なる。たとえば、重みｋ４は重みｋ３の２倍、重みｋ５は重みｋ３の４倍、重みｋ６は重みｋ３の８倍である。第５信号生成回路７７１がＦ信号を生成する方法は、図５を用いて説明した第１の実施の形態の第１信号生成回路１７１がＣ信号を生成する方法と同様である。
【００７０】
互いに異なる重みｋ３、ｋ４、ｋ５、およびｋ６で重み付けられた４信号を重畳して生成されるＦ信号は、１６個の電位で表現される。重みｋ３〜ｋ６でそれぞれ重みづけられたＡ信号、Ａ´信号、Ｂ信号、およびＢ´信号と、Ｆ信号との関係を表５に例示する。ここで、重みｋ３＜重みｋ４＜重みｋ５＜重みｋ６のとき、表５の電位Ｖ１レベル〜Ｖ１６レベルは、Ｖ１レベル＜Ｖ２レベル＜・・・＜Ｖ１５レベル＜Ｖ１６レベルとなる。
【表５】
2013141108.tif 000007
【００７１】
図１５は、ホットライン通信に関する第３ボディ側通信部８０３の構成を示すブロック図である。第３ボディ側通信部８０３は、第５復号部８３１とレンズ用カウンタ２３５と絞り用カウンタ２３６とを備える。図６に示される第１の実施の形態のボディ側通信部２０３と同一の部位についてはその説明を省略する。
【００７２】
第５復号部８３１は、第５電気接点Ｂ５から入力されるＦ信号と、表５とに基づいて、Ａ信号とＡ´信号とＢ信号とＢ´信号とを抽出（分離、復号）する。第５復号部８３１が抽出したＡ信号およびＡ´信号はレンズ用カウンタ２３５に出力され、第５復号部８３１が抽出したＢ信号およびＢ´信号は絞り用カウンタ２３６に出力される。
【００７３】
第３ボディ側ＣＰＵ８０１は、図１５のレンズ用カウンタ２３５が出力した第１カウント値と図１５の絞り用カウンタ２３６が出力した第２カウント値とに基づいて、図１３の撮像部２０２の感度制御等をリアルタイムに実行する。
【００７４】
以上で説明した実施の形態によれば、以下の作用効果が得られる。
本発明の第１の実施の形態による交換レンズ１００は、カメラボディ２００に対して着脱可能な交換レンズであって、フォーカスレンズ駆動部１２１と、絞り駆動部１３１と、フォーカスレンズ駆動部１２１からの駆動力を受けて駆動されるフォーカスレンズ１０２と、絞り駆動部１３１からの駆動力を受けて駆動される絞り１０３と第１信号生成回路１７１とレンズ側通信部１０７とを備える。第１信号生成回路１７１は、Ａ信号用の振幅変調回路１７３とＢ信号用の振幅変調回路１７４と第１重畳回路１７５とを有し、フォーカスレンズ駆動部１２１から駆動力を受けたフォーカスレンズ１０２の駆動状態をパルス数で表したＡ信号を重みｋ１で重みづけた信号と、絞り駆動部１３１から駆動力を受けた絞り１０３の駆動状態をパルス数で表したＢ信号を重みｋ２で重みづけた信号とを重畳してＣ信号を生成する。生成されたＣ信号は、レンズ側通信部１０７が第５電気接点Ｌ５に出力してカメラボディ２００へ送信する。交換レンズ１００は、このような構成を有することにより、少ない通信用端子で多数の情報をリアルタイムに送信することができる。
【００７５】
本発明の第２の実施の形態による第２交換レンズ５００は、第２カメラボディ６００に対して着脱可能な交換レンズであって、フォーカスレンズ駆動部１２１と、絞り駆動部１３１と、フォーカスレンズ駆動部１２１からの駆動力を受けて駆動されるフォーカスレンズ１０２と、絞り駆動部１３１からの駆動力を受けて駆動される絞り１０３と、第３信号生成回路５７１と第２レンズ側通信部５０７とを備える。第３信号生成回路５７１は、Ａ信号用の振幅変調回路５７３とＡ´信号用の振幅変調回路５７４と第３重畳回路５７５とを有し、フォーカスレンズ駆動部１２１から駆動力を受けたフォーカスレンズ１０２の駆動状態をパルス数で表したＡ信号を重みｋ１で重みづけた信号と、Ａ信号に対してフォーカスレンズ１０２の駆動方向に応じた位相差を持つＡ´信号を重みｋ１と異なる重みｋ２で重みづけた信号とを重畳したＤ信号を生成する。生成されたＤ信号は、第２レンズ側通信部５０７が第５電気接点Ｌ５に出力して第２カメラボディ６００へ送信する。第２交換レンズ５００は、このような構成を有することにより、より少ない通信用端子で多数の情報をリアルタイムに送信することができる。
【００７６】
本発明の第１の実施の形態によるカメラボディ２００は、交換レンズ１００を装着可能なカメラボディであって、Ｃ信号を受信するボディ側通信部２０３と、Ｃ信号からＡ信号とＢ信号とを抽出（分離、復号）する第１復号部２３３を備える。
本発明の第２の実施の形態による第２カメラボディ６００は、第２交換レンズ５００を装着可能なカメラボディであって、Ｅ信号を受信する第２ボディ側通信部６０３と、Ｅ信号からＡ信号とＡ´信号とを抽出（分離、復号）する第３復号部６３３を備える。
【００７７】
以上で説明した各実施の形態は、以下のように変形して実施できる。
（変形例１）上記の実施の形態における交換レンズでは、フォーカスレンズ１０２および絞り１０３がそれぞれフォーカスレンズ駆動部１２１および絞り駆動部１３１により駆動された。しかし、駆動源からの駆動量を受けて駆動される被駆動部材は、フォーカスレンズ１０２と絞り１０３だけに限定されない。たとえば、ズームレンズ駆動部をさらに備え、ズームレンズ１０４をさらに駆動させることにしてもよい。また、フォーカスレンズ１０２のみ、絞り１０３のみ、ズームレンズ１０４のみ等、被駆動部材が一つだけの交換レンズにも本発明は適用される。
【００７８】
（変形例２）上記の実施の形態におけるデジタルカメラでは、交換レンズをカメラボディに直接装着したが、交換レンズとカメラボディとの間に継電機能を有する中間アダプタ（マウントアダプタ、テレコンバージョンレンズ、ワイドコンバージョンレンズなど）を挿入してもよい。
【００７９】
（変形例３）第１信号生成回路１７１、第２信号生成回路１７２、第３信号生成回路５７１、第４信号生成回路５７２、第５信号生成回路７７１では、各信号生成回路に入力された信号をＡＭ変調して重みづけを行った。しかし、信号を重みづける方法はＡＭ変調以外の方法でもよい。また、入力された信号のうち一の信号については、重みを１に設定してもよい。すなわち、入力された信号のうち一の信号については、重みづけを行わなくてもよい。
【００８０】
（変形例４）上記の実施の形態において、振幅変調回路は交換レンズのレンズ側通信部に含まれているが、フォーカスレンズ用エンコーダ１２２や絞り用エンコーダ１３２などのエンコーダ側に含まれることにしてもよい。
【００８１】
（変形例５）図３では、電気接点群１６０，２６０にそれぞれ八つの電気接点が含まれることとしたが、電気接点群１６０，２６０に含まれる電気接点の数と種類は図３の接点に限定されない。
【００８２】
（変形例６）上記の実施の形態では、複数の信号を重畳した信号を生成不可能な交換レンズがカメラボディに装着されているとき、駆動系電源の供給を開始せず交換レンズ側の駆動を制限することとした。しかし、複数の信号を重畳した信号を生成不可能な交換レンズであっても、その重畳信号（たとえばＣ信号、Ｃ´信号、Ｄ信号、Ｅ信号、およびＦ信号）の合成に用いられる信号を送信可能な交換レンズが接続されている場合は、その交換レンズからの入力信号を、レンズ用カウンタ２３５や絞り用カウンタ２３６などの入力信号に対応するカウンタへ出力することにしてもよい。たとえば、図１６に示すように第５電気接点Ｂ５と第１復号部２３３との間に第１スイッチ２３１を設け、第５電気接点Ｂ５からＣ信号が入力されたときは第１復号部２３３側へ入力信号を導き、第５電気接点Ｂ５からＡ信号が入力されたときはレンズ用カウンタ２３５へ導くことにしてもよい。第１スイッチ２３１の伝送路の切り替えは、ボディ側ＣＰＵ２０１により制御される。
（変形例７）図８（ステップＳ１００７）では、ボディ側ＣＰＵ２０１は、第１電気接点Ｂ１へのロジック系電源（回路系の動作電圧）の供給を停止させるように構成した。しかしながら誤動作防止のための手法としてはで給電停止に限らず、例えば絞りの駆動コマンドやフォーカシングの駆動コマンドを交換レンズ１００側に送信しないようにして交換レンズ側の機能（フォーカシング制御や絞り制御）を制限するようにしても良い。このように構成することによっても、カメラボディ２００がフォーカスレンズや絞りの移動を誤認識するような誤動作を防止することができる。図８の処理と同様の処理は、第２カメラボディ６００の第２ボディ側ＣＰＵ６０１と第３カメラボディ８００の第３ボディ側ＣＰＵ８０１においても実行される。
【００８３】
以上で説明した実施の形態や変形例はあくまで一例であり、発明の特徴が損なわれない限り本発明はこれらの内容に限定されない。また、以上で説明した実施の形態や変形例は発明の特徴が損なわれない限り組み合わせて実行してもよい。
【符号の説明】
【００８４】
１，２，３  （デジタル）カメラシステム
１００  交換レンズ，５００  第２交換レンズ，７００  第３交換レンズ
１０２  フォーカスレンズ，１０３  絞り
１０５  レンズ側ＣＰＵ，５０５  第２レンズ側ＣＰＵ，７０５  第３レンズ側ＣＰＵ
１０７  レンズ側通信部，５０７  第２レンズ側通信部，７０７  第３レンズ側通信部
１２１  フォーカスレンズ駆動部，１２２  フォーカスレンズ用エンコーダ
１３１  絞り駆動部，１３２  絞り用エンコーダ
１７１  第１信号生成回路，１７２  第２信号生成回路，５７１  第３信号生成回路，５７２  第４信号生成回路，７７１  第５信号生成回路
１７３，１７４，１７６，１７７，５７３，５７４，５７６，５７７，７７２，７７３，７７４，７７５  振幅変調回路
１７５  第１重畳回路，１７８  第２重畳回路，５７５  第３重畳回路，５７８  第４重畳回路，７７６  第５重畳回路
２００  カメラボディ，６００  第２カメラボディ，８００  第３カメラボディ
２０１  ボディ側ＣＰＵ，６０１  第２ボディ側ＣＰＵ，８０１  第３ボディ側ＣＰＵ
２０３  ボディ側通信部，６０３  第２ボディ側通信部，８０３  第３ボディ側通信部
【図１】
2013141108.tif 000008
【図２】
2013141108.tif 000009
【図３】
2013141108.tif 000010
【図４】
2013141108.tif 000011
【図５】
2013141108.tif 000012
【図６】
2013141108.tif 000013
【図７】
2013141108.tif 000014
【図８】
2013141108.tif 000015
【図９】
2013141108.tif 000016
【図１０】
2013141108.tif 000017
【図１１】
2013141108.tif 000018
【図１２】
2013141108.tif 000019
【図１３】
2013141108.tif 000020
【図１４】
2013141108.tif 000021
【図１５】
2013141108.tif 000022
【図１６】
2013141108.tif 000023